(57)【要約】      （修正有）【課題】機器のパネル面への取付けにおいて、パネルマウント用部品を用いることで、様々な面積のパネルに取付け可能で、省スペースでの設置が可能な取付装置を提供する。【解決手段】直方体状の機器において、機器裏面に取付用のねじ穴を有し、広いパネル面への取付けの場合には、ねじ穴は仮止め用のパネルマウント用部品の取付ねじ穴とし、パネルマウント用部品に弾性部材を固定することにより、機器がパネルに取付けられることを特徴とする機器の取付装置。【選択図】図４
2004361204.tif 000002
【特許請求の範囲】
【請求項１】
略直方体状の機器において、機器裏面に仮止め用のパネルマウント用部品の取付ねじ穴を有し、前記パネルマウント用部品に弾性部材を固定することにより、前記機器がパネルに取付けられることを特徴とする機器の取付装置。
【請求項２】
略直方体状の機器において、機器裏面にパネル取付用のねじ穴を有し、前記ねじ穴は仮止め用のパネルマウント用部品の取付ねじ穴を兼ね、前記パネルマウント用部品に弾性部材を固定することにより、前記機器がパネルに取付けられることを特徴とする機器の取付装置。
【請求項３】
前記機器と前記パネルの間に防水部材を挟むことを特徴とする請求項１または請求項２記載の機器の取付装置。
【発明の詳細な説明】
【０００１】
【発明の属する技術分野】
本発明は、種々の機器類をコントロールパネル盤等のパネルに取付けるための取付装置に関するものである。特に、薄型の機器類の取付に関するものである。
【０００２】
【従来の技術】
従来、調節計や記録計などのパネル機器を取付ける方法として、機器本体ケース前面のパネル取付穴より大きいフランジと機器本体ケースに取付ける取付部品でパネルを挟持したり、あるいは機器本体ケースに設けられたねじ穴とねじとで取付けるものがある。
この出願の発明に関連する先行技術文献情報としての一例として以下のものがある。
【特許文献１】
特開平２００１−９１３０５号公報
【特許文献２】
特開平８−８７３０４号公報
【０００３】
図１０は上記特許文献１に開示されている取付装置の側面図である。機器ケース１は前面の外周から一体的に突出するつば部（フランジ部）７１を有し、側面にはのこぎり歯状の係合溝７２が設けられている。取付手順は、パネル２の取付孔に機器の背面（裏面）から挿入し、機器ケース１より僅かに大径の取付具７３を機器ケース背面側より挿入し、パネル方向にスライドさせて取付具７３の係合片７４の内側に形成された係合爪と係合溝７２で係合し、ねじ止めしてつば部７１と取付具７３とでパネル２を挟持する。
【０００４】
図１１は上記特許文献２に開示されている取付の側面図である。機器ケース１には前面周部にに段差（フランジ部）８１があり、この段差８１にパネル取付用ねじ孔８２を設けている。パネル２への取付は、機器ケース１の背面（裏面）から、パネル２の取付孔に段差８１がパネル２に接するまで挿入し、パネルの貫通孔を通してパネル取付用ねじ孔８２にねじ８３をねじ込んで、ねじ８３とケース１の段差８１でパネル２を挟み付ける。
【０００５】
一方、例えば図１２に示す特開平２００２−１８２７５３に記載されているような、前方が開とされ周囲に縁枠９２を有するケース１に、電子部品９４等を搭載した調節回路用のプリント基板９３を縁枠内に配置し、プリント基板に液晶表示体９５を重ねた、薄型の調節計がある。このような機器は、各種狭隘な場所への設置や機器に付属させて使用することが容易になり、各種用途に用いることができるという利点がある。
【０００６】
【発明が解決しようとする課題】
通常、機器を制御盤などの広いパネル面へ固定する場合には、１人で前面、裏面の両面から固定することが困難であるため、パネル前面側とパネル背面側の作業者２人で取付を行っており、一人では取付作業ができない。特開平２００２−１８２７５３に記載された薄型の機器の場合は、機器の特徴として厚み方向の寸法が限られており、パネルに引っ掛けた状態では重量バランスが取れない等、従来の取付方法を適用できない場合があったり、適用可能な場合でも、薄型機器の特徴である省スペースを損なう結果となっていた。
また、このような薄型の機器に特許文献１、特許文献２に記載されたフランジ部を設けることも、薄型機器の特徴である省スペースを損なうことになる。
【０００７】
この発明は以上の点に鑑み、機器のパネル面への取付けにおいて、共通の機器本体ケースとパネル取り付け部品を用いることで、様々な面積のパネルに取付け可能で、省スペースでの設置が可能な取付装置を提供する。
【０００８】
【課題を解決するための手段】
この発明は、略直方体状の機器において、機器裏面に仮止め用のパネルマウント用部品の取付ねじ穴を有し、前記パネルマウント用部品に弾性部材を固定することにより、前記機器がパネルに取付けられる機器の取付装置である。
また、略直方体状の機器において、機器裏面に取付用のねじ穴を有し、前記ねじ穴は仮止め用の突起部を有するパネルマウント用部品の取付ねじ穴を兼ね、前記パネルマウント用部品に弾性部材をねじにより固定することにより、前記機器がパネルに取付けられる機器の取付装置である。
さらに、機器内部とパネル内への防水のために、前記機器と前記パネルの間に防水部材を挟む機器の取付装置である。
【０００９】
【発明の実施の形態】
機器裏面のパネル取付用のねじ穴は、仮止め用のパネルマウント用部品の取付ねじ穴を兼ねてもよいし、各々別に設けても良い。この実施の形態では、パネル取付用のねじ穴がパネルマウント用部品の取付けねじ穴を兼ねている場合について説明する。図１は薄型機器を取付パネル全体の面積が小さなユニット品等に取付けた場合の取付完了の概略図である。図２はパネル２への取付説明図である。機器１はユニット品の所定パネル面に取付けられる。パネル２には図３に示すように、ねじ用貫通孔３２と機器の端子部用貫通孔５１が設けられる。機器１の裏面をパネル面に押し付けたまま、機器背面のねじ穴３１へパネル２を間に挟んでねじ３により取付ける。
【００１０】
例えば食品工場で使用される機械に取付けられる機器では、定期的に機械の洗浄が必要であり防水構造が要求される。このように防水構造が必要な場合は、機器１とパネル２前面の間に防水用のパッキン４を挟む。このパッキン４には防水効果だけでなく、当然ながら防塵効果もあり、機器内部だけでなく、パネル裏面つまりユニット品等の内部空間への水、塵の侵入を防ぐものである。
【００１１】
パネル２に設けられる取付用の穴はねじ貫通穴と機器の入出力線用の端子部用貫通穴５１である。機器裏面のねじ穴３１と端子部５に対応している。本例では機器の端子部が裏面に設けられているので、端子部用の貫通穴５１をパネル２に設けたが、端子部が機器の他の面に設けられている場合は不要である。
【００１２】
図４は機器１を取付面積が大きなパネルに取付けた場合の取付完了の概略図である。パネル２への取付の場合は、パネルの面積と厚みは様々である。図５はパネル２への取付説明図である。取付ける機器１は、図１〜図３で説明した機器と同様であるが、端子部は図示していない。
【００１３】
図６に示すようにパネル２には機器１の外形より小さな四角形の取付穴１１が設けられる。この実施形態の機器では、機器裏面の四隅にねじ穴３１が設けられている。このねじ穴３１は図１の取付においては機器取付用のねじ穴であったが、この場合はパネルマウント用部品６取付用のねじ穴として利用される。パネルマウント用部品６は仮止め用の突起部を有している。
【００１４】
以下、図５を用いて取付手順を説明する。機器裏面にパネルマウント用部品６をねじ３で固定する。必要に応じて防水用のパッキン４を機器１とパネルマウント用部品６の間に配置する。次にパネル前面より取付穴１１に差し込む。パネルマウント用部品６の突起部がパネル裏面で係止されて、機器１がパネル２に仮止めされる。
【００１５】
次に、パネル背面側から、弾性部材７をパネルマウント用部品６に弾性部材固定ねじ７２で固定する。弾性部材７の脚部７１の長さは、パネルマウント用部品６のパネル裏面に突出した部分よりも長くなっており、脚部７１はパネル背面を押接して、機器裏面とでパネル２を挟持する。弾性部材７は、図７に示すような一体形としても良いし、各ねじ毎に取付けるものでもよい。材質は樹脂製でもよいし、金属製でもよい。パネル背面を押さえ止める弾性を有する材質、形状であればよい。本実施形態では、ねじで弾性部材７をパネルマウント用部品６に固定したが、弾性部材をパネルマウント用部品に確実に押さえ止めるものであれば、例えば弾性部材にパネルマウント用部品が嵌め込まれたり、あるいはパネルマウント用部品に弾性部材を差し込むような他の固定手段も可能である。
【００１６】
図８はパネルマウント用部品を示している。突起部６１が外側に設けられて、内部の一方は弾性部材固定ねじ用穴６３であり、他方はパネルマウント用部品固定用ねじの貫通穴６２である。鋸歯状の突起部は複数個設けても良いし、パネルの厚みの規格値に合わせて１個でもよい。複数個設けた場合には、弾性部材を嵌め込んだり、差し込んだりする場合に、固定部として利用できる。
【００１７】
図９は他のパネルマウント用部品の例を示している。（ａ）はパネルマウント用部品６の周囲をゴムのような弾性材で覆って突起部の代用としたものである。（ｂ）は側面をコの字上に切り欠いて弾性を有する構造としたものである。図８と同様に、突起部６１を複数個設けることにより、様々な厚みのパネルに仮止め、取付が可能となる。パネル厚みが規格値であれば、その厚みに合わせた突起部６１を１個設ければよい。機器の重量、パネルの厚み等の条件が合せて設計する。また、（ｃ）に示すような長径と短径を有する断面がオーバル形として、回転させて固定および取外しを簡単にすることもできる。この例では突起部ではなく、側面にパネルに係合する係合穴を設けている。（ｂ）、（ｃ）の突起部や係合穴を複数個設けた場合には、弾性部材を嵌め込んだり、差し込んだりする場合に、固定部として利用できる。
【発明の効果】
パネルマウント用部品を用いることで、機器本体ケースを様々な面積のパネルに取付け可能で、省スペース、少人数での設置が可能となる。
【図面の簡単な説明】
【図１】小面積パネルへの取付け完了の概略図
【図２】小面積パネルへの取付け説明図
【図３】小面積パネルの取付け穴
【図４】大面積パネルへの取付け完了の概略図
【図５】大面積パネルへの取付け説明図
【図６】大面積パネルの取付け穴
【図７】弾性部材の一例
【図８】パネルマウント用部品の一例
【図９】パネルマウント用部品の他の例
【図１０】従来の機器の取付装置
【図１１】従来の機器の取付装置
【図１２】薄型の調節計の断面図
【符号の説明】
１  機器
２  パネル
３  ねじ
４  パッキン
６  パネルマウント用部品
７  弾性部材
【図１】
2004361204.tif 000003
【図２】
2004361204.tif 000004
【図３】
2004361204.tif 000005
【図４】
2004361204.tif 000006
【図５】
2004361204.tif 000007
【図６】
2004361204.tif 000008
【図７】
2004361204.tif 000009
【図８】
2004361204.tif 000010
【図９】
2004361204.tif 000011
【図１０】
2004361204.tif 000012
【図１１】
2004361204.tif 000013
【図１２】
2004361204.tif 000014